(57)【要約】 【課題】  歩行時に、より自然で歩行支援の効果が高い歩行支援装具から得られる機能強化方法とその歩行支援装具を提供する。【解決手段】腰部取付装具本体１の落下防止用ポケット５，５に嵩上げ具２６，２６を入れ、雄面ファスナー２８と固定片３０，３０で嵩上げ具２６，２６を腰部取付装具本体１の裏面に固定し、腰部取付装具本体１と大腿取付装具本体１２，１２を身体に装着した後、大腿吊り上げ用弾性帯２１の雄面ファスナー２３，２３をそれぞれ腰部取付装具本体１の雌面ファスナー７と大腿取付装具本体１の雌面ファスナー１６，１７に取付け、更に大腿吊り上げ用弾性帯２１が剥がれないよう押え片３，１４により大腿吊り上げ用弾性帯２１を押え、腰部取付装具本体１の雌部材４，４，４，４と肩バンド２４，２４の雄部材２５，２５，２５，２５により肩バンド２４，２４を腰部取付装具本体１に取付ける。【選択図】図１４
2016198273.tif 000002
【特許請求の範囲】
【請求項１】
腰部取付装具と大腿下部又は膝取付装具に大腿吊り上げ用弾性帯の両端を固定又は取り外し自在に設けた歩行支援装具において、前記腰部取付装具の内側又は外側に嵩上げ手段を固定又は取り外し自在に設け、大腿吊り上げ用弾性帯の上部取付位置を身体から離れた位置にしたことを特徴とする歩行支援装具の機能強化方法。
【請求項２】
腰部取付装具と大腿取付装具に大腿吊り上げ用弾性帯の両端を固定又は取り外し自在に設けると共に、前記腰部取付装具の裏面に嵩上げ具を固定又は取り外し自在に設けたことを特徴とする歩行支援装具。
【請求項３】
大腿取付装具に大腿吊り上げ用弾性帯の下端を固定又は取り外し自在に設けると共に、腰部取付装具の前面に嵩上げ具を固定又は取り外し自在に設け、該嵩上げ具を介して大腿吊り上げ用弾性帯の上端を腰部取付装具に固定又は取り外し自在連結したことを特徴とする歩行支援装具。
【発明の詳細な説明】
【技術分野】
【０００１】
本発明は、ベルトを腰と膝付近に装着し、両ベルトに大腿吊り上げ用弾性帯の両端を連結する構成の歩行支援装具の機能を強化する方法と、その歩行支援装具に関するものである。
【背景技術】
【０００２】
本発明者は、先に特許文献１及び２に開示される歩行支援装具を提案し、ウォーキングの際の歩行支援装具として役立たせているが、この歩行支援装具はモータやリンク機構を用いた極めて高額な歩行支援機に比し、遥かに安価に提供し得ることと、装着容易であり、しかも不使用時は嵩張らず収納便利であるという利点がある。
【０００３】
しかし、図１に示すように大腿吊り上げ用弾性帯イは吊り上げ力Ｆにより大腿下部又は膝を上方へ垂直に引き上げる働きが主で、歩行開始直前の脚の振り出し作用（振り出し力ｆ１）が極めて小さい。従って、老齢の人や筋力の弱い人には不満があった。
【先行技術文献】
【特許文献】
【０００４】
【特許文献１】特開平１０−２９５８４８号公報
【特許文献２】特開平２０１１−３６３６７号公報
【発明の概要】
【発明が解決しようとする課題】
【０００５】
そこで、本発明は、歩行時に脚の振り出しを促し、より自然に歩行支援を行うようになる歩行支援装具の機能強化方法とその歩行支援装具を提供することを課題とするものである。
【課題を解決するための手段】
【０００６】
本発明は、上記の課題を解決するためになされたもので、請求項1記載の発明は、腰部取付装具と大腿下部又は膝取付装具に大腿吊り上げ用弾性帯の両端を固定又は取り外し自在に設けた歩行支援装具において、前記腰部取付装具の内側又は外側に嵩上げ手段を固定又は取り外し自在に設け、大腿吊り上げ用弾性帯の上部取付位置を身体から離れた位置にしたことを特徴とする歩行支援装具の機能強化方法である。
【０００７】
請求項２記載の発明は、腰部取付装具と大腿取付装具に大腿吊り上げ用弾性帯の両端を固定又は取り外し自在に設けると共に、前記腰部取付装具の裏面に嵩上げ具を固定又は取り外し自在に設けたことを特徴とする歩行支援装具である。
【０００８】
請求項３記載の発明は、大腿取付装具に大腿吊り上げ用弾性帯の下端を固定又は取り外し自在に設けると共に、腰部取付装具の前面に嵩上げ具を固定又は取り外し自在に設け、該嵩上げ具を介して大腿吊り上げ用弾性帯の上端を腰部取付装具に固定又は取り外し自在連結したことを特徴とする歩行支援装具である。
【発明の効果】
【０００９】
本発明によれば、図２に例示したように大腿吊り上げ用弾性帯イの上部を、嵩上げ手段により身体から離れた位置Ｐ’にして前方斜めに傾けて設けられているため、斜め前方向の力Ｆ’が大腿に作用することになり、大腿の膝側に吊り上げ力Ｆ’のみならず、従来の歩行支援装具より遥かに大きな振り出し力ｆ２が生じ、歩行開始時において垂直方向のみに支援力を補助する従来の歩行支援装具に比べて楽に歩き始めることができる。
【００１０】
また、歩行時には股関節を回転軸とした大腿骨の搖動運動を付勢する作用が働くため歩行を支援する上で自然で、装着者の負担を少なくするという効果がある。
【図面の簡単な説明】
【００１１】
【図１】従来の歩行支援装具の作用説明図。
【図２】本発明にかかる歩行支援装具の作用説明図である。
【図３】本発明の実施例１の腰部取付装具の正面図である。
【図４】図１の背面図である。
【図５】図1の説明図である。
【図６】本発明の実施例１の大腿取付装具の正面図である。
【図７】図６の背面図である。
【図８】図６の説明図である。
【図９】本発明の実施例１の吊り上げ用弾性帯を示すもので、（ａ）はその正面図、（ｂ）はその背面図である。
【図１０】本発明の実施例１の肩バンドの正面図である。
【図１１】本発明の実施例１の嵩上げ具を示すもので、（ａ）はその正面図、（ｂ）はその右側面図、（ｃ）はその平面図、（ｄ）はその背面図である。
【図１２】図１１の嵩上げ具を固定する固定片を示すもので、（ａ）はその正面図、（ｂ）はその背面図である。
【図１３】嵩上げ具を腰部取付装具に取付けた状態を示す状態説明図である。
【図１４】本発明の実施例1の使用状態を示す使用状態説明図である。
【図１５】本発明の実施例１の作用効果を示す概略説明図。
【図１６】本発明の実施例２の腰部取付装具の正面図である。
【図１７】図１６の背面図である。
【図１８】本発明の実施例２の使用状態を示す使用状態説明図である。
【図１９】本発明の実施例３の腰部取付装具を示すもので（ａ）はその正面図、（ｂ）はその平面図、（ｃ）はその左側面図である。
【図２０】本発明の実施例３の使用状態を示す使用状態説明図である。
【実施例１】
【００１２】
図３は本発明の実施例１の腰部取付装具の正面図、図４は背面図で、１は腰部取付装具本体、２は腰部ベルト、３，３は押え片、４，４，４，４は後記肩ベルトの止め具の雌部材、５，５は嵩上げ手段として腰部取付装具本体１の裏面下部に設けられた後記嵩上げ具２６の落下防止用ポケット、６は腰部ベルトを通す輪環である。
【００１３】
そして腰部取付装具本体１の正面と背面には雌面ファスナー７，８が、また押え片３，３の背面には図５に示すように雄面ファスナー９，９が、腰ベルト２には雄面ファスナー１０と雌面ファスナー１１がそれぞれ設けられており、腰に腰部取付装具を装着する際には腰ベルト２を輪環６に挿通した後、腰ベルト２を折り返して雄面ファスナー１０を雌面ファスナー１１に圧着させることにより腰に腰部取付装具本体１を固定する。
【００１４】
図６は本発明の実施例１の大腿取付装具の正面図、図７は背面図で、１２は大腿取付装具本体、１３は大腿ベルト、１４は押え片、１５は輪環である。
【００１５】
大腿取付装具本体１２の正面には雌面ファスナー１６，１７と、背面には図８に示すように雄面ファスナー１８を設けた開閉自在の押え片１４が設けられ、大腿ベルト１３の表面には雄面ファスナー１９と雌面ファスナー２０が設けられており、大腿に大腿取付装具を装着する際には大腿ベルト１３を輪環１５に挿通した後に大腿ベルト１３を折り返して雄面ファスナー１９と雌面ファスナー２０を圧着させることにより大腿に固定する。
【００１６】
図９は大腿吊り上げ用弾性帯を示すもので、図９（ａ）は正面図、図９（ｂ）は背面図を示し、正面の両端には雌ファスナー２２，２２を、またその背面には雄面ファスナー２３，２３が設けられている。
【００１７】
図１０は本発明の実施例１における肩ベルト２４を示し、両端に止め具の雄部材２５，２５が設けられている。
【００１８】
図１１は本発明の嵩上げ手段として用いた実施例１の嵩上げ具２６を示し、（ａ）は正面図、（ｂ）は右側面図、（ｃ）は平面図、（ｄ）は背面図である。この嵩上げ具２６は発泡硬質ウレタン製で上部両側にストッパー２９，２９を備え、前面と左右側面に雌面ファスナー２２，２７，２７，２７を設け、背面に雄面ファスナー２８が設けられている。なお嵩上げ具２６の材料としては発泡硬質ウレタンのみに限定されるものではなく、枕のような多少弾力を持つものであってもよい。
【００１９】
図１２（ａ）は前記嵩上げ具２６を大腿取付装具本体１２に固定するための固定片３０の正面図を、また図１２（ｂ）は同背面図を示し、背面には雄面ファスナー３１が設けられている。
【００２０】
以上のように構成された上記の腰部取付装具、大腿吊り上げ用弾性帯、大腿取付装具を身体Ｘに取付ける手順について説明すると、先ず図１３に示すように腰部取付装具本体１の落下防止用ポケット５，５に嵩上げ具２６，２６を入れ、背面に設けた雄面ファスナー２８と固定片３０，３０の雌面ファスナー２２，２７と大腿取付具本体１の雌面ファスナー８に圧着させて嵩上げ具２６，２６を腰部取付装具本体１の背面に固定する。
【００２１】
次に前記〔００１３〕と〔００１５〕に記載した手順で図１４に示すように腰部取付装具本体１と大腿取付装具本体１２，１２を身体Ｘに装着した後、大腿吊り上げ用弾性帯２１の雄面ファスナー２３，２３をそれぞれ腰部取付装具本体１の雌面ファスナー７と大腿取付装具本体１の雌面ファスナー１６，１７に取付け、更に大腿吊り上げ用弾性帯２１が剥がれないよう押え片３，１４により大腿吊り上げ用弾性帯２１を固定した後、腰部取付装具本体１の止め具の雌部材４，４，４，４に肩バンド２４，２４の止め具の雄部材２５，２５，２５，２５を合体させて肩バンド２４，２４を腰部取付装具本体１に取付ける。なお、図１４は身体Ｘに直に装着した場合を示したが、一般には衣服の上に装着するものである。
【００２２】
以上の手順により身体Ｘに装着した実施例１の歩行支援装具は、図１５に示すように大腿吊り上げ用弾性帯２１により大腿に斜め上方の力Ｆ’が作用するため、歩行時に縮小しようとする筋力を支援するばかりでなく、図１に示した従来の歩行支援装具よりも大きな振り出し力ｆ２がが働くので脚の振り出しを促し、より自然に歩行を支援することができる。
【００２３】
また、歩行時に、嵩上げ具２６，２６を介して下腹部を交互に押圧する力ｆ３が発生するため、この下腹部をマッサージして腸の働きを良くし、胃腸を調えると共に血流をよくして冷え性の改善に効果がある。そしてこの作用効果は、足踏みの際も得られる。
【００２４】
また、肩バンド２４，２４によって腰部取付装具本体１が下方に下がったり、腰部取付装具本体１が捲れて嵩上げ具２６，２６が上に躍り出ることを防止することができる。
【実施例２】
【００２５】
図１６は本発明の実施例２の腰部取付装具の正面図、図１７は背面図で、１’は腰部取付装具本体、７’は腰部取付装具本体１の正面に設けた雌面ファスナー、５’，５’は嵩上げ具落下防止用ポケットである。
【００２６】
なお、前記腰部取付装具本体１’は背面に面ファスナーの雌面ファスナーがないことを除けば、実施例１と同じ構成である。また、他の使用装具は実施例１のものと同一のものである。
【００２７】
実施例２においては、正面に設けた嵩上げ具落下防止用ポケット５’，５’に嵩上げ具２６，２６を入れ、雄面ファスナー２８，２８と雌面ファスナー７により嵩上げ具２６，２６を腰部取付装具本体１’に固定し、大腿吊り上げ用弾性帯２１，２１の雄面ファスナー２３，２３を嵩上げ具２６，２６の雌面ファスナー２７，２７に取付け、更に固定片３０，３０により大腿吊り上げ用弾性帯２１，２１を嵩上げ具２６，２６に押えると共に、嵩上げ具２６，２６を腰部取付装具本体１’に固定する。即ち、大腿吊り上げ用弾性帯２１，２１の上端を嵩上げ具２６，２６を介して腰部取付装具本体１’に固定する。
【００２８】
なお、その他の使用方法については実施例１と同様である。
【００２９】
本実施例２の歩行支援装具は、嵩上げ具２６，２６を腰部取付装具本体１’の前面に取付け、その嵩上げ具２６，２６に大腿吊り上げ用弾性帯２１，２１の上端を取り付けるようにした点で、実施例１の歩行支援装具と相違するが歩行の支援及び作用効果においては前記実施例１と同様の効果を得ることができ、肩バンド２４，２４により腰部取付装具本体１’が下に下がるのを防止することができる。
【実施例３】
【００３０】
図１９は本発明の実施例３の腰部取付装具を示すもので、（ａ）はその正面図、（ｂ）はその平面図、（ｃ）はその左側面図で、１"は突出部３１，３１が設けれた腰部取付装具本体である。
【００３１】
そして前記突出部３１，３１には雌面ファスナー３２，３２と裏に雄面ファスナーを設けた押え片３３，３３が設けられている。
【００３２】
なお、腰部取付装具本体１"の上記以外の構成については実施例１と同様である。また、他の使用装具については実施例１のものと同一のものである。
【００３３】
この実施例３においては、図２０に示すように大腿吊り上げ用弾性帯２１，２１の端部に設けた雄面ファスナー２３，２３を突出部３１，３１の雌面ファスナー３２，３２に取付け、押え片３３，３３の雄面ファスナーと大腿吊り上げ用弾性帯２１，２１の雌面ファスナー２４，２４を係合させて大腿吊り上げ用弾性帯２１，２１の上端部を突出部３１，３１に取り付ける。
【００３４】
なお、その他の装具の使用方法については実施例１と同様である。
【００３５】
本実施例３の歩行支援装具の場合も前記実施例１と同様の効果を得ることができ、肩バンド２４，２４により腰部取付装具本体１"が下方に下がるのを防止することができる。
【その他の実施例】
【００３６】
本発明においては、起立した状態で、腰部取付装具と大腿吊り上げ用弾性帯２１，２１の取付け位置が身体Ｘより前方の離れた位置になり、大腿吊り上げ用弾性帯２１，２１が斜め前方に傾くようになる構成であれば本願発明の効果と同様の効果が発揮されるので、本願で示した実施例に限定されるものではないことは勿論である。例えば、実施例では、嵩上げ具を左右２個としたが、一連のものであってもよい。
【００３７】
また、嵩上げ具がしっかりと腰部取付装具本体に取付けられる場合は落下防止用ポケットやストッパーを省略することができる。
【００３８】
本発明に係る歩行支援装具を着用することにより、健康者の場合はウォーキングを軽快に楽しむことができ、足の筋肉の弱い人、足の障害等がある人、老齢の人の場合は歩行を楽にし、生活を楽しむことに寄与する。
【００３９】
また、歩行時又は足踏み時に嵩上げ具で、腹部を押圧するマッサージ作用があるので、大腸を刺激して血行を促して細胞を活性化させ、ひいては便秘が解消し、腸が鍛えられるという副次的効果が得られる特徴がある。
【符号の説明】
【００４０】
１                                            腰部取付装具
２                                            腰部ベルト
３，１４                                      押え片
４                                            雌部材
５                                            落下防止用ポケット
６，１５                                      輪環
７，８，１１，１６，１７，２０，２２，２７    雌面ファスナー
９，１０，１８，１９，２３，２８，３１        雄面ファスナー
１２                                          大腿取付装具本体
１３                                          大腿ベルト
２１                                          大腿吊り上げ用弾性帯
２４                                          肩バンド
２５                                          雄部材
２６                                          嵩上げ具
２９                                          ストッパー
３０                                          固定片
【図１】
2016198273.tif 000003
【図２】
2016198273.tif 000004
【図３】
2016198273.tif 000005
【図４】
2016198273.tif 000006
【図５】
2016198273.tif 000007
【図６】
2016198273.tif 000008
【図７】
2016198273.tif 000009
【図８】
2016198273.tif 000010
【図９】
2016198273.tif 000011
【図１０】
2016198273.tif 000012
【図１１】
2016198273.tif 000013
【図１２】
2016198273.tif 000014
【図１３】
2016198273.tif 000015
【図１４】
2016198273.tif 000016
【図１５】
2016198273.tif 000017
【図１６】
2016198273.tif 000018
【図１７】
2016198273.tif 000019
【図１８】
2016198273.tif 000020
【図１９】
2016198273.tif 000021
【図２０】
2016198273.tif 000022